(57)【要約】【課題】  乗り心地が良く、燃費や発進特性などの走行特性の良い自動車を得るには、自動車の設計の改善、製造時における部品の厳選、調整の厳密化など製造業者に頼るきり方法がないと考えられ、高級品を購入するか、量産したものの中から選択するかきり手段がないと考えられていた。しかも、高級品においてすら、その性能のバラツキが大きく、ユーザの不満が多かった。【解決手段】  自動車に装着することによって自動車の性能を大幅に向上させることができる電子部品として、半導体のｐｎ接合を有する素子を順方向状態に接続したものと逆方向状態に接続したものとを直列に接続した電子部品を提供して課題を解決した。【選択図】  図１１
2005239030.tif 000002
【特許請求の範囲】
【請求項１】
電子回路や電気回路（電子回路と電気回路のいずれか一方あるいは双方を、以下、単に電気回路とも称する）に接続することができる電子部品において、前記電子部品は、前記電子部品が前記電気回路に接続された状態で順方向接続状態になる半導体のｐｎ接合を利用した素子としてのダイオードあるいはダイオードと実質的に同様の順方向特性ならびに逆方向特性を有する半導体素子（以下、前記ダイオードあるいはダイオードと実質的に同様の順方向特性ならびに逆方向特性を有する素子のことをダイオードと称する）を少なくとも１つ有する第１の部品と、前記電子部品が前記電気回路に接続された状態で逆方向接続状態になる半導体のｐｎ接合を利用した素子としてのダイオードを少なくとも１つ有する第２の部品とを有しているとともに、前記第１の部品と第２の部品が前記電子部品において直列接続の関係にあるという特徴を有する回路要素を少なくとも１つ有することを特徴とする電子部品。
【請求項２】
請求項１に記載の電子部品において、少なくとも１つの前記回路要素を構成する前記第１の部品と第２の部品の少なくとも一方が、接続状態が同一の状態すなわち順方向接続状態と逆方向接続状態のうちのいずれか一方の状態である少なくとも２つのダイオードが並列に接続されている部品であることを特徴とする電子部品。
【請求項３】
請求項２に記載の電子部品において、前記回路要素の少なくとも１つを構成する前記第１の部品と第２の部品の少なくとも一方を構成している前記並列に接続されている少なくとも２つのダイオードが、電流−電圧特性の異なるダイオードであることを特徴とする電子部品。
【請求項４】
請求項１〜３のいずれか１項に記載の電子部品において、少なくとも１つの前記回路要素は、直列接続関係にある前記第１の部品と第２の部品の他に前記第１の部品および第２の部品と直列接続の関係にある第３の部品を有していることを特徴とする電子部品。
【請求項５】
請求項４に記載の電子部品において、前記第３の部品が抵抗であることを特徴とする電子部品。
【請求項６】
請求項５に記載の電子部品において、前記第３の部品である抵抗が、固定抵抗と可変抵抗からなることを特徴とする電子部品。
【請求項７】
請求項１〜６のいずれか１項に記載の電子部品において、少なくとも１つの前記回路要素は、前記直列接続関係にある第１の部品と第２の部品の他に前記第１の部品および第２の部品と直列接続の関係にある第４の部品を有していることを特徴とする電子部品。
【請求項８】
請求項７に記載の電子部品において、前記第４の部品がコイルであることを特徴とする電子部品。
【請求項９】
請求項８に記載の電子部品において、前記第４の部品が第３の部品の役割を兼ねていることを特徴とする電子部品。
【請求項１０】
請求項８または９に記載の電子部品において、前記第４の部品にコンデンサが含まれていることを特徴とする電子部品。
【請求項１１】
請求項１０に記載の電子部品において、前記第４の部品のコンデンサが前記コイルと並列に接続されていることを特徴とする電子部品。
【請求項１２】
請求項７〜１１のいずれか１項に記載の電子部品において、少なくとも１つの前記回路要素は、前記直列接続関係にある第１の部品と第２の部品のいずれか一方とは直列説続関係に他方とは並列接続関係に、かつ、前記第４の部品とも並列接続関係に配置されているコンデンサを有していることを特徴とする電子部品。
【請求項１３】
請求項１２に記載の電子部品において、前記コンデンサの一方の端子が前記電子部品の一方の接続端子に接続されているか、前記電子部品が電気回路に接続された状態で前記電子部品の一方の接続端子に接続されているのと等価な状態になるように配置されていることを特徴とする電子部品。
【請求項１４】
請求項１〜１３のいずれか１項に記載の電子部品において、前記電子部品は並列に接続された少なくとも２つの前記回路要素を有していることを特徴とする電子部品。
【請求項１５】
請求項１４に記載の電子部品において、前記並列に接続された少なくとも２つの前記回路要素が電気的特性が異なる回路要素であることを特徴とする電子部品。
【請求項１６】
請求項１４または１５に記載の電子部品において、前記電子部品は、それを構成する全ての前記回路要素に共通に直列接続されている第５の部品を有していることを特徴とする電子部品。
【請求項１７】
請求項１６に記載の電子部品において、前記第５の部品が抵抗とコイルの少なくとも一方または双方を有する部品であることを特徴とする電子部品。
【請求項１８】
請求項１６または１７に記載の電子部品において、前記第５の部品が抵抗とコイルの少なくとも一方または双方と並列接続関係にあるコンデンサを有する部品であることを特徴とする電子部品。
【請求項１９】
請求項１６〜１８のいずれか１項に記載の電子部品において、少なくとも１つの前記回路要素の前記直列接続関係にある第１の部品と第２の部品の間に一方の端子が接続されているとともに他方の端子が前記電子部品の前記第５の部品が配置されている側の接続端子に接続されているか、前記電子部品が電気回路に接続された状態で前記電子部品の一方の接続端子に接続されているのと等価な状態になるように配置されていることを特徴とする電子部品。
【請求項２０】
請求項１〜１９のいずれか１項に記載の電子部品において、前記電子部品が自動車の電気的部品を接続するこができる端子に接続することができる部品として構成されていることを特徴とする電子部品。
【請求項２１】
請求項２０に記載の電子部品において、前記電子部品が、自動車の電気回路の電源供給ソケットまたはそれと実質的に同等のソケットなどの端子に着脱可能に接続することができる部品としてケース等に実装されていることを特徴とする電子部品。
【請求項２２】
請求項２１に記載の電子部品において、前記電子部品を接続することができる自動車の電気回路のソケットなどの端子が、タバコに火を付けることができる自動車の部品であるシガレットライターあるいはそれと実質的に同等の機能を有する部品を接続することができるソケットなどの端子であることを特徴とする電子部品。
【請求項２３】
請求項２０〜２２のいずれか１項に記載の電子部品において、少なくとも１つの前記回路要素と並列に自動車用の機能部品を接続することができるソケットなどの端子が設けられているれていることを特徴とする電子部品。
【請求項２４】
請求項２１〜２３のいずれか１項に記載の電子部品において、少なくとも１つの前記回路要素と並列に、タバコに着火することができる部品と香りを発生することができる部品とマイナスイオンを発生させることができる部品と照明装置のうちの少なくとも一つが接続されていることを特徴とする電子部品。
【請求項２５】
請求項２１〜２４のいずれか１項に記載の電子部品において、前記可変抵抗の抵抗値を変える手段が前記電子部品のケース等に設けられていることを特徴とする電子部品。
【請求項２６】
請求項１〜２５のいずれか１項に記載の電子部品において、前記第１の部品と前記第２の部品の少なくとも一部がトランジスタの一部を用いた素子であることを特徴とする電子部品。
【請求項２７】
請求項１〜２６のいずれか１項に記載の電子部品において、前記第１〜第５の部品の少なくとも一部が半導体集積回路に形成されていることを特徴とする電子部品。
【発明の詳細な説明】
【技術分野】
【０００１】
電気的な回路には、従来から電気回路という呼称と電子回路という呼称が広く用いられており、電気回路という呼称と電子回路という呼称が区別されて用いられる場合と区別されないで用いられる場合がある。本発明においては、回路を流れる電流値が比較的大きな回路の場合と比較的小さな回路の場合の区別や回路における電子の作用を重視するか否かなどに関わらず、いわゆる電気回路と電子回路のいずれかあるいは双方を、単に電気回路ともいうことにする。
【０００２】
本発明は、自動車の電気回路に接続して自動車の性能を改善することができる新規の電子部品ならびにそれを用いて性能を改善された自動車を提供することに関する。
【背景技術】
【０００３】
近年、電気回路を利用した装置の発展は著しく、文化的生活には不可欠のものとなっている。たとえば、自動車、ステレオやテレビなどの音響装置など電気回路を利用した装置は、快適な生活のための必需品として広く使われており、その性能の発達には著しいものがある。
【０００４】
これらの装置の電気回路には、ヒューズ、配線用の金属線、昇圧回路部品、コンピュータ用部品、点火コイル、点火プラグなど、種々の回路部品が使われており、それらの回路部品には、高性能化、高品質化、低価格化、低消費電力化など、多くの改良が加えられている。
【０００５】
自動車は広く知られている物であり、したがって一般的な説明は省略するが、たとえば、ガソリンを燃料に用いる自動車についてみると、燃費はかなり向上し、スタートダッシュもかなりよくなり、エンジン音もある程度静かになるなど、多くの進歩が窺える。また、カーステレオなどの音響装置についても、音質がかなりよくなっている。
【０００６】
このような改善努力によって、現在の自動車はいわゆる大衆商品といえるように多くのユーザに便利に使われており、ユーザの要求に応じて種々の機能、性能、品質のものが低価格品から高価格品まで品揃えされている。
【０００７】
その結果、自動車の機能、性能、品質はかなり向上しているが、さらにエンジン音が静かな自動車、さらに燃費の良い自動車、さらにスタートの良い自動車を求めるユーザの声が強く、そのために、エンジン、自動車のボディー、動力伝達系、タイヤなどの部品や装置の改良が続けられている。
【０００８】
しかしながら、ユーザの希望を満たすには至っておらず、さらにエンジン音が静かな自動車、さらに燃費の良い自動車、さらにスタートの良い自動車を求めるユーザの声が強い。
【０００９】
上記のような自動車の性能の改善は、次のように３つに分けて表現することができる。  その第一は、自動車のエンジン、自動車の動力伝達機構、自動車のボディー、マイコンなど自動車の制御デバイスなどのように、自動車の性能を直接左右する要因が強いと思われるものの改善によるもの（以下、第一種の改善ともいう）である。
【００１０】
その第二は、カーナビやステレオのような自動車の付属機構あるいは機能部品の改善によるもの（以下、第二種の改善ともいう）である。受信器の改善、スピーカの改善、増幅器の改善などによる乗り心地の良さの改善などはこれに該当する。
【００１１】
その第三は、ヒューズや配線材料のように自動車の電気回路に使われているが、たとえばヒューズは電気回路の過電流に対する保護の見地からは不可欠であるが、また、配線材料は電気回路を構成し、機能させるという見地からは不可欠であるが、自動車の燃費やスタートの良さなどの自動車の基本的性能にはあまり関係がないと考えられている部品の改良によるもの（以下、第三種の改善ともいう）である。
【００１２】
第一種の改善と第二種の改善に関しては、基本的なものから細部に至るまで極めて多くの改善が行われ、前記のように日進月歩の状況にある。自動車の燃費の良さ、スタートの良さ、振動の少なさなどの性能の改善は、第一種の改善によるものがほとんどであることはいうまでもない。第一種の改善と第二種の改善は広く知られていることであり、ここでその詳細は省略する。
【００１３】
第三種の改善については、本来、燃費やスタートの良さのような自動車の性能の改善にはほとんど関係がないと考えられていたものであり、自動車の性能の改善という観点からの提案は、後述のように極めて少ない。
【００１４】
第三種の改善の例は極めて少ないが、その例として、特開２００４−１４４９１（以下、文献１という）をあげることができる。以下、これについて概略を説明する。
【００１５】
ヒューズについての改良は、コスト面や形状、実装などに関する改良が多数発表されているが、上記のニーズに応える改良は少ない。
【００１６】
ヒューズを自動車の電気回路に装着する場合は、ヒューズホルダーの電極に単に挿入するだけでよいとされており、電気回路のスイッチを入れたときに電気回路で機能すればよいとされている。したがって、ヒューズの装着される向きはどちら向きでも良く、当該電気回路を安全に機能させればよいものと考えられている。
【００１７】
図１８と図１９は乗用車に使用されている代表的なヒュ−ズホルダーにおけるヒューズの装着方法を説明する図で、ヒューズの電気回路に接続する一対の端子（以下、接続端子もいう）をヒューズホルダーに挿入した状態を説明する断面図で、接続端子とヒューズホルダーの電極との電気的接続がなされている部分の断面図である。
【００１８】
図１８と図１９で、符号１０１，１０２，１２１，１２２はヒューズの接続端子、１１０，１１１，１３０〜１３３はヒューズホルダーの電極である。接続端子１０１と接続端子１０２は同一ヒューズの一対の接続端子で、接続端子１０１と接続端子１０２は図示していないヒューズ本体で電気的に接続されており、接続端子１２１と接続端子１２２は同一ヒューズの一対の接続端子で、接続端子１２１と接続端子１２２は図示していないヒューズ本体で電気的に接続されている。
【００１９】
前記各ヒューズ本体は、衆知のように、それぞれの一対の接続端子の間に所定の電流値以上の電流が所定時間以上流れると発熱してヒューズ本体の一部が溶けて断線することにより当該一対の接続端子の間に流れていた電流を遮断する役割を果たすものである。
【００２０】
図１８で、ヒューズホルダーの電極１１０は、そこに挿入されるヒューズの接続端子１０１を少しきつめに挟んで固定するように形成されている。すなわち、電極１１０の符号１１０ａで示した部分が接続端子１０１の符号１０１ａで示した部分を電極１１０の符号１１０ｃで示した部分の方向へ押すようにして、電極１１０の符号１１０ａで示した部分が接続端子１０１の符号１０１ａで示した部分に圧接している。同様に、電極１１０の符号１１０ｂで示した部分が接続端子１０１の符号１０１ｂで示した部分を電極１１０の符号１１０ｄで示した部分の方向へ押すようにして、電極１１０の符号１１０ｂで示した部分が接続端子１０１の符号１０１ｂで示した部分に圧接している。接続端子１０１の符号１０１ｃで示した面は電極１１０の内壁に部分的にあるいは全体的に押しつけられている。このような構造で、接続端子１０１が電極１１０に挿入されて保持されており、接続端子１０１と電極１１０の接触部分によって電気回路の電気的接続がなされている。
【００２１】
電極１１１と接続端子１０２の間の電気的接続についても電極１１０と接続端子１０１の場合と同様であり、図１８の符号１１１，１１１ａ〜ｄ，１０２，１０２ａ〜ｃで示した部分がそれぞれ前記符号１１０，１１０ａ〜ｄ，１０２，１０２ａ〜ｃで示した部分に相当する。
【００２２】
図１９で、ヒューズホルダーの電極１３０と１３１は、そこに挿入されるヒューズの接続端子１２１を少しきつめに挟んで固定するように形成されている。すなわち、電極１３０の符号１３０ａで示した部分と電極１３１の符号１３１ｂで示した部分とで接続端子１２１の符号１２１ａで示した部分と符号１２１ｂで示した部分をきつく挟み込んでおり、それぞれの接触部分で電気的接続がなされている。電極１３０と電極１３１は図示していないところで電気的に接続されている。
【００２３】
電極１３２および１３３と接続端子１２２の間の電気的接続についても電極１３０および１３１と接続端子１２１の場合と同様であり、図１９の符号１３２，１３２ａ，１３３，１３３ｂ，１２２，１２２ａ，１２２ｂで示した部分がそれぞれ前記符号１３０，１３０ａ，１３１，１３１ｂ，１２１，１２１ａ，１２１ｂで示した部分に相当する。
【００２４】
衆知のように、自動車は走行中に激しい振動を生じるが、その振動によっても前記ヒューズホルダーの電極に装着されているヒューズがはずれないように、比較的強い力でヒューズが前記ヒューズホルダーの電極に挟み込まれて保持されている。
【００２５】
図１９のようなヒューズホルダーの電極にヒューズを差し込んで使用すると、本発明者らの調査によると強い発熱を生じるが、ヒューズ本体を溶断することがないような発熱のため、一般には特に大きな問題になっていない。
【００２６】
図２０は図１９を用いて説明したタイプのヒューズホルダーに装着されて使用されたヒューズの接続端子の状況を説明する図である。
【００２７】
図２０で、符号１２１ｃと１２２ｃはヒューズの接続端子の表面全面にメッキが施されている接続端子表面、１２１ｄと１２２ｄはそれぞれヒューズホルダーの電極の図１９に符号１３０ａと１３２ａで示した部分によって強く圧接されていた結果生じた傷痕である。
【００２８】
前記乗用車の電気回路に用いられているヒューズは、衆知のように、その一対の接続端子とヒューズ本体が、その母材が亜鉛を主成分とする金属で、たとえば型を用いた加工によって一体に作られている。
【００２９】
ヒューズの接続端子の中には、その表面に銀メッキや錫メッキが施されているものもあり、メッキが施されていないものもある。
【００３０】
銀メッキは電気的接続の安定性を向上させる効果がある。衆知のように、亜鉛合金に直接銀メッキを施すことは実用的には行われておらず、多くの場合、亜鉛合金の上に銅メッキを行い、その上にニッケルメッキを施し、その上に銀メッキを施している。
【００３１】
電気的接点の観点からは、銀は表面の変化が心配されており、電気接点には特によい表面材質とは評価されていない。微少な信号を正確に伝送する必要があるなどの特に精密な電気接点における表面材質としては金が好ましいとされている。この接点用の金表面は、例えば時計のケースや宝飾品などの金メッキなどとは異なる技術が要求されている。
【００３２】
また、電気接点用の金メッキに限らず、金メッキのコストは高い。したがって、金メッキの必要性が強く認識されていない電気部品には金メッキが用いられないのが通常である。金色をしていることを表現するだけを目的とした極めて薄い金薄層、たとえば金薄層の厚みが０．０１μｍの金メッキを施した場合などは、コストは安いが、電気的特性も期待できないので、電気接点の品質を考えた金メッキとは異質なものである。
【００３３】
前記自動車用ヒューズの場合は、精密電気装置における電気接点の場合とは事情が異なると見なされており、金に比較してコストが大幅に低減される銀メッキが、ある程度良好な電気的接続特性を維持するということを想像させる効果も期待して採用されている。
【００３４】
図２０に例示したような傷１２１ｄ，１２２ｄは、ヒューズとしての電気的接続上は特に問題視されておらず、現在は外見上特に問題にすべきものとは見なされておらず、強い改善の要求も出さておらず、一般には仕方がないものとされている。
【００３５】
しかしながら、本発明の発明者は、このヒューズを改善すれば自動車の性能をさらに改善することができることを提案した。
【００３６】
文献１には、液体窒素などを用いて低温処理した自動車用のヒューズを用いて自動車の性能を改善することが提案されている。
【００３７】
図２１は、中級クラスの乗用車の電気回路をブロック図で説明するものである。以下、各ブロックの従来知られている部分については詳細な説明を省略し、文献１に記載の発明に関係の深い部分を重点的に説明する。また、図２１の配線についても通常の電気回路と同様、概念的に表してある。
【００３８】
図２１において、符号３は電池、４ａ〜４ｇはヒューズ、５ｂ〜５ｇはスイッチ、６は自動車エンジンのスタータ系回路部分、７は燃料制御系回路部分、８はコンピュータ、９はイグニッション系回路部分、１０はエアコンコンディショナー系回路部分、１１は音響装置、１２ａ〜１２ｄ，１３ａ〜１３ｄ，１４ａ〜１４ｄ，１５ａ〜１５ｄ，１６ａ〜１６ｄ，１７ａ〜１７ｄ，１８〜２５は電気的接続を得るための配線を示す。図２１に示した自動車の電気回路のこれら各部分は衆知のものであり、ここでその詳細の説明は省略する。
【００３９】
文献１には、図２１に示した電気回路を有する中級クラスといわれている乗用車に、文献１に記載の発明のヒューズを用いた場合と従来のヒューズを用いた場合とについて、乗用車のエンジン音の静かさ、スタートの快適さ、乗り心地、燃費、音響装置の音質などの比較評価を行った結果、文献１に記載の発明のヒューズを用いたときの方が従来のヒューズを用いたときよりも、エンジン音は明確に低くなり、スタートの快適さもはっきり良く、スタートが早くなり、乗り心地は快適で音が静かで振動が少なくなり、燃費は約１５％向上し、音響装置としてのステレオの音質が明確に良くなるという著しい効果をもたらしたことが記載されている。
【００４０】
さらに、本発明の発明者による検討の結果、乗用車の車種として、上記中級クラスの乗用車よりも廉価なものと高価なものをそれぞれ複数台ずつ用意して、文献１に記載の発明のヒューズと従来のヒューズを用いて比較実験を行ったところ、文献１に記載の発明のヒューズを用いたときの方が従来のヒューズを用いたときよりも、エンジン音は明確に低くなり、スタートの快適さもはっきり良く、スタートが早くなり、乗り心地は快適で音が静かで振動が少なくなり、燃費が向上し、音響装置としてのステレオの音質が明確に良くなるという著しい効果をもたらすという評価結果を得た。
【００４１】
しかしながら、自動車のユーザからは、文献１に記載の発明による自動車の性能改善には確かに著しいものがあるが、自動車のさらなる性能の改善の要望が強く出されている。
【００４２】
【特許文献１】特開２００４−１４４９１
【発明の開示】
【発明が解決しようとする課題】
【００４３】
以上説明したように、主として第一種の改善と第二種の改善による自動車の性能の改善が多数提案されており、その結果自動車の性能がかなり良くなってきてはいるが、ユーザからはさらなる自動車の性能改善の要望が強くだされている。そして、その解決策は、多くの場合、従来の価格の高い乗用車を選択するという解決策や自動車の選別に頼るという解決策などが考えられている。
【００４４】
乗用車においても、一つずつ念入りに調整して製造することはある程度行われているが、製造コストの観点から制約があるのみならず、現在の改良工夫の延長線上での調整では前記ユーザのニーズを満足させることができないのが実状である。
【００４５】
そのため、従来の乗用車においては、高級品といわれる製品においても、エンジン音の大きさ、燃費の良さ、音質の良さなどのバラツキは止むを得ないものと思われていた。
【００４６】
このような状況下において提案されたのが第三種の改善であり、第三種の改善による自動車の性能の改善が少しずつ認められてきており、第一種の改善と第二種の改善による自動車の性能の改善と併用して効果をあげている。
【００４７】
その上で、ユーザーからは、従来難しいと考えられていた発進特性のさらなる向上、エンジン音のさらなる低下、燃費のさらなる向上、音質のさらなる向上を図った自動車や音響装置の実現が強く望まれている。
【００４８】
本発明はこのような点に鑑みて成されたものであり、本発明の目的は、第四種の改善ということもできる、自動車に取り付けることによって、たとえば、発進特性をさらに良くし、エンジン音をさらに小さくし、燃費をさらに良くするなどの自動車の基本的な性能を改善することができる新規の電子部品を安価に提供することによって自動車の性能を改善しようとするところにある。
【課題を解決するための手段】
【００４９】
自動車の発進特性をさらに良くすること、燃費をさらに良くすること、エンジン音をさらに小さくすること、ステレオの音質をさらによくすることなどのような自動車の性能を改善するために多くの努力が払われている。
【００５０】
自動車の性能を改善するための手段として、前記の如く第一種〜第三種の改善が行われているが、本発明の発明者は、さらに、第四種の改善ともいうべき新規の電子部品を提案する。
【００５１】
自動車の基本的な性能に寄与するファクターは、多くの研究の結果、衆知のように、かなりの部分が解明されており、それに基づいて多くの改善が行われてきたことは前記の如くであるが、未だ解明されていないことも多いように思われる。
【００５２】
たとえば自動車の電気回路に生じるノイズの影響に関しては未だ十分に解明されているとはいい難い状況にある。
【００５３】
自動車の電気回路には、たとえば、エンジンの制御に関する信号や音響設備のための信号など、その回路における必要な信号が流れているが、前記必要な信号のほかに非常に複雑なノイズ信号が重畳されて流れている。
【００５４】
この複雑なノイズ信号は、多くの場合、できるだけ小さくなるように回路が構成されており、その結果、現在の自動車が実用化されている。
【００５５】
しかしながら、前記ノイズの影響については、マクロな検討きりなされておらず、たとえば、ステレオについていえば、普通の専門家が評価できる範囲ではかなり良くなっているが、極めて高度な専門家にとっては決して満足できるレベルに至っていない。
【００５６】
どのようなノイズが自動車の性能にどのように影響しているかについては、決して十分に理解されているとはいえない現状である。そして、ノイズ除去対策に関しては、その悪影響がわかっているか、あるいは悪影響がありそうだと思われているノイズに関するもので十分であると考えられているのが現状であり、、それ以上の対策はコストアップを招くこともあって、真剣に取り組まれていないのが現状といえる。
【００５７】
本発明を発想するに当たって、たとえば、自動車のエンジン制御方法、各構成部分の自動車の性能への寄与等を検討した。当然、自動車の電気回路の種々のノイズについても検討した。
【００５８】
前記のように、本発明の目的は、単に自動車の電気回路のノイズを低減することではなく、自動車の発進特性や燃費のような自動車の性能の改善にある。もちろん、電気回路で有害とされているノイズの低減も静かな自動車の実現という意味で自動車の性能の改善ということができる。
【００５９】
本発明の発明者等は、ノイズの問題も含めて、自動車の各特性を考察しつつ、種々の仮説を立てて、電子部品を作成し、その電子部品を電気回路に接続し、それによる特性の変化を調べた。その結果を用いて作成した電子部品を自動車に取り付け、自動車の性能の変化を調べた。
【００６０】
本発明の発想過程におけるこれら種々の検討の結果、前記課題を解決する手段として、第四種の改善ともいうべき、後述の本発明による新規の電子部品を用いて、自動車の性能を改善することができることを見出した。
【００６１】
自動車の性能を改善するために用いる本発明の新規の電子部品は、単に前記自動車の性能を改善するだけにとどまらず、自動車の電気回路に取り付けた状態で、消費電力が極めて小さく、小型であることが望ましく、その条件を満たすことができるように検討した。
【００６２】
本発明の目的を達成するための手段として、本発明では、半導体のｐｎ接合の順方向接続特性と逆方向接続特性の特殊な用い方を利用し、一般には好んで用いられない、本発明の電子部品を電気回路に接続したときに順方向接続状態になるようにしたｐｎ接合を有する半導体素子を少なくとも１個と逆方向接続状態になるようにしたｐｎ接合を有する半導体素子を少なくとも１個とを直列に接続したことを基本とする電子部品を安価に提供できるようにし、それを用いて性能の改善された自動車を提供することができるいくつかの発明を提案する。
【００６３】
前記課題を解決するための手段としての請求項１に記載の本発明による電子部品は、電気回路に接続することができる電子部品であって、前記電子部品は、前記電子部品が前記電気回路に接続された状態で順方向接続（衆知の順方向接続、すなわち、ｐ側がたとえば電池の＋側、ｎ側がマイナス側に接続された状態）状態になる半導体のｐｎ接合を利用した素子としてのダイオードあるいはダイオードと実質的に同様の順方向特性ならびに逆方向特性を有する半導体素子（以下、前記ダイオードあるいはダイオードと実質的に同様の順方向特性ならびに逆方向特性を有する素子のことをダイオードと称する）を少なくとも１つ有する第１の部品と、前記電子部品が前記電気回路に接続された状態で逆方向接続状態になる半導体のｐｎ接合を利用した素子としてのダイオードを少なくとも１つ有する第２の部品とを有しているとともに、前記第１の部品と第２の部品が前記電子部品において直列接続の関係にあるという特徴を有する回路要素を少なくとも１つ有することを特徴とする電子部品である。
【００６４】
請求項２に記載の本発明による電子部品は、請求項１に記載の電子部品において、少なくとも１つの前記回路要素を構成する前記第１の部品と第２の部品の少なくとも一方が、接続状態が同一の状態すなわち順方向接続状態と逆方向接続状態のうちのいずれか一方の状態である少なくとも２つのダイオードが並列に接続されている部品であることを特徴とする電子部品である。
【００６５】
請求項３に記載の本発明による電子部品は、請求項２に記載の電子部品において、前記回路要素の少なくとも１つを構成する前記第１の部品と第２の部品の少なくとも一方を構成している前記並列に接続されている少なくとも２つのダイオードが、電流−電圧特性の異なるダイオードであることを特徴とする電子部品である。
【００６６】
請求項４に記載の本発明による電子部品は、請求項１〜３のいずれか１項に記載の電子部品において、少なくとも１つの前記回路要素は、直列接続関係にある前記第１の部品と第２の部品の他に前記第１の部品および第２の部品と直列接続の関係にある第３の部品を有していることを特徴とする電子部品である。
【００６７】
請求項５に記載の本発明による電子部品は、請求項４に記載の電子部品において、前記第３の部品が抵抗であることを特徴とする電子部品である。
【００６８】
請求項６に記載の本発明による電子部品は、請求項５に記載の電子部品において、前記第３の部品である抵抗が、固定抵抗と可変抵抗からなることを特徴とする電子部品である。
【００６９】
請求項７に記載の本発明による電子部品は、請求項１〜６のいずれか１項に記載の電子部品において、少なくとも１つの前記回路要素は、前記直列接続関係にある第１の部品と第２の部品の他に前記第１の部品および第２の部品と直列接続の関係にある第４の部品を有していることを特徴とする電子部品である。
【００７０】
請求項８に記載の本発明による電子部品は、請求項７に記載の電子部品において、前記第４の部品がコイルであることを特徴とする電子部品である。
【００７１】
請求項９に記載の本発明による電子部品は、請求項８に記載の電子部品において、前記第４の部品が第３の部品の役割を兼ねていることを特徴とする電子部品である。
【００７２】
請求項１０に記載の本発明による電子部品は、請求項８または９に記載の電子部品において、前記第４の部品にコンデンサが含まれていることを特徴とする電子部品である。
【００７３】
請求項１１に記載の本発明による電子部品は、請求項１０に記載の電子部品において、前記第４の部品のコンデンサが前記コイルと並列に接続されていることを特徴とする電子部品である。
【００７４】
請求項１２に記載の本発明による電子部品は、請求項７〜１１のいずれか１項に記載の電子部品において、少なくとも１つの前記回路要素は、前記直列接続関係にある第１の部品と第２の部品のいずれか一方とは直列説続関係に他方とは並列接続関係に、かつ、前記第４の部品とも並列接続関係に配置されているコンデンサを有していることを特徴とする電子部品である。
【００７５】
請求項１３に記載の本発明による電子部品は、請求項１２に記載の電子部品において、前記コンデンサの一方の端子が前記電子部品の一方の接続端子に接続されているか、前記電子部品が電気回路に接続された状態で前記電子部品の一方の接続端子に接続されているのと等価な状態になるように配置されていることを特徴とする電子部品である。
【００７６】
請求項１４に記載の本発明による電子部品は、請求項１〜１３のいずれか１項に記載の電子部品において、前記電子部品は並列に接続された少なくとも２つの前記回路要素を有していることを特徴とする電子部品である。
【００７７】
請求項１５に記載の本発明による電子部品は、請求項１４に記載の電子部品において、前記並列に接続された少なくとも２つの前記回路要素が電気的特性が異なる回路要素であることを特徴とする電子部品である。
【００７８】
請求項１６に記載の本発明による電子部品は、請求項１４または１５に記載の電子部品において、前記電子部品は、それを構成する全ての前記回路要素に共通に直列接続されている第５の部品を有していることを特徴とする電子部品である。
【００７９】
請求項１７に記載の本発明による電子部品は、請求項１６に記載の電子部品において、前記第５の部品が抵抗とコイルの少なくとも一方または双方を有する部品であることを特徴とする電子部品である。
【００８０】
請求項１８に記載の本発明による電子部品は、請求項１６または１７に記載の電子部品において、前記第５の部品が抵抗とコイルの少なくとも一方または双方と並列接続関係にあるコンデンサを有する部品であることを特徴とする電子部品である。
【００８１】
請求項１９に記載の本発明による電子部品は、請求項１６〜１８のいずれか１項に記載の電子部品において、少なくとも１つの前記回路要素の前記直列接続関係にある第１の部品と第２の部品の間に一方の端子が接続されているとともに他方の端子が前記電子部品の前記第５の部品が配置されている側の接続端子に接続されているか、前記電子部品が電気回路に接続された状態で前記電子部品の一方の接続端子に接続されているのと等価な状態になるように配置されていることを特徴とする電子部品である。
【００８２】
請求項２０に記載の本発明による電子部品は、請求項１〜１９のいずれか１項に記載の電子部品において、前記電子部品が自動車の電気的部品を接続するこができる端子に接続することができる部品として構成されていることを特徴とする電子部品である。
【００８３】
請求項２１に記載の本発明による電子部品は、請求項２０に記載の電子部品において、前記電子部品が、自動車の電気回路の電源供給ソケットまたはそれと実質的に同等のソケットなどの端子に着脱可能に接続することができる部品としてケース等に実装されていることを特徴とする電子部品である。
【００８４】
請求項２２に記載の本発明による電子部品は、請求項２１に記載の電子部品において、前記電子部品を接続することができる自動車の電気回路のソケットなどの端子が、タバコに火を付けることができる自動車の部品であるシガレットライターあるいはそれと実質的に同等の機能を有する部品を接続することができるソケットなどの端子であることを特徴とする電子部品である。
【００８５】
請求項２３に記載の本発明による電子部品は、請求項２０〜２２のいずれか１項に記載の電子部品において、少なくとも１つの前記回路要素と並列に自動車用の機能部品を接続することができるソケットなどの端子が設けられているれていることを特徴とする電子部品である。
【００８６】
請求項２４に記載の本発明による電子部品は、請求項２１〜２３のいずれか１項に記載の電子部品において、少なくとも１つの前記回路要素と並列に、タバコに着火することができる部品と香りを発生することができる部品とマイナスイオンを発生させることができる部品と照明装置のうちの少なくとも一つが接続されていることを特徴とする電子部品である。
【００８７】
請求項２５に記載の本発明による電子部品は、請求項２１〜２４のいずれか１項に記載の電子部品において、前記可変抵抗の抵抗値を変える手段が前記電子部品のケース等に設けられていることを特徴とする電子部品。
【００８８】
請求項２６に記載の本発明による電子部品は、請求項１〜２５のいずれか１項に記載の電子部品において、前記第１の部品と前記第２の部品の少なくとも一部がトランジスタの一部を用いた素子であることを特徴とする電子部品である。
【００８９】
請求項２７に記載の本発明による電子部品は、請求項１〜２６のいずれか１項に記載の電子部品において、前記第１〜第５の部品の少なくとも一部が半導体集積回路に形成されていることを特徴とする電子部品である。
【発明の効果】
【００９０】
前記例のような本発明の種々の電子部品を、一例として、自動車のシガレットライター（タバコに点火するための衆知の部品）用の端子に接続することができるように、ケースに実装した状態に作成し、ガソリン車、ハイブリッド車、ジーゼル車など各種の自動車のシガレットライター用の接続端子に挿入して自動車の電気回路に接続し、自動車の性能の変化を調べた。その結果、次のことがわかった。
【００９１】
本発明の電子部品は、それを自動車の電気回路に用いたときに、自動車の発進特性の改善、燃費の低減、エンジン音の低下、乗り心地を害する不快な振動と音の低減等の効果のうちの少なくとも１つの効果をもたらし、発進特性など自動車の基本的性能と音響装置の音質の著しい向上をもたらすという大きな効果を発揮することがわかった。
【００９２】
そして、本発明を例えば乗用車の電気回路に装着して実施した場合、従来は高級車として評価されていなかったクラスの乗用車の性能を高級車のような性能に高めることができるという大きな効果を発揮する。
【００９３】
本発明による自動車の性能向上は著しいものがあり、本発明は、自動車産業の発展ならびに自動車を利用する産業の発展に大きく寄与するものであり、自動車による環境汚染を改善する効果をもたらすものである。
【発明を実施するための最良の形態】
【００９４】
以下、図面を参照して本発明の実施の形態の例について説明する。なお、説明に用いる各図は本発明の例を理解できる程度に各構成成分の寸法、形状、配置関係などを概略的に示してある。そして本発明の説明の都合上、部分的に拡大率を変えて図示する場合もあり、本発明の例の説明に用いる図は、必ずしも実施例などの実物や記述と相似形でない場合もある。また、各図において、同様な構成成分については同一の番号を付けて示し、重複する説明を省略することもある。
【００９５】
本発明の基本技術は、半導体のｐｎ接合の順方向接続特性と逆方向接続特性の特殊な用い方をし、一般には好んで用いられない、本発明の電子部品を電機回路に接続したときに順方向接続状態になるようにしたｐｎ接合を有する半導体素子を少なくとも１個と逆方向接続状態になるようにしたｐｎ接合を有する半導体素子を少なくとも１個とを直列に接続したことを基本とする回路要素を利用した電子部品を電気回路に接続して、自動車の特性を改善するところにある。
【００９６】
図１は、本発明による電子部品の主要部分としての回路要素の例を説明する図で、最も簡単な回路要素の例である。符号１５０は本発明による電子部品、１５１は第１の部品としてのｐｎ接合を有する半導体素子であるダイオード、１５２は第２の部品としてのｐｎ接合を有する半導体素子であるダイオード、１５４と１５５は電子部品１５０を電気回路に接続することができる接続端子、１５６は第１の部品１５１と第２の部品１５２の接続部、１５９は回路要素である。
【００９７】
図１の回路図からも明らかなように、電子部品１５０は、第１の部品１５１が電子部品１５０を電気回路に接続したときにダイオードのｐｎ接合が順方向接続状態になる場合、第２の部品１５２は逆方向接続状態になるように構成されている。
【００９８】
電子部品１５０を接続端子１５４と１５５を介して自動車の電気回路に接続し、自動車の電気回路の作動キーを入れ、自動車の発進特性、燃費、エンジン音の静かさなどの自動車の性能を調べたところ、電子部品１５０を自動車の当該電気回路に接続しなかった場合に比べて、自動車の発進特性が明らかに良くなり、燃費がよくなり、エンジン音が静かになった。
【００９９】
図１の電子部品１５０は、自動車の種類に応じて第１の部品１５１としてのダイオードと第２の部品１５２としてのダイオードの特性を適宜選択することによって自動車の性能改善のレベルをあげることができる。
【０１００】
本発明の電子部品は、図１の電子部品１５０を基本として、種々の形態をとることができるものである。
【０１０１】
図２は、本発明による電子部品の主要部分としての回路要素の図１とは異なる例を説明する図である。符号１６０は本発明による電子部品、１６９は電子部品１６０の主要部分としての回路要素、１６８ａは回路要素１６９を構成する第１の部品、１６８ｂは回路要素１６９を構成する第２の部品、１６１ａ，１６１ｂ，１６１ｃは第１の部品１６８ａを構成するダイオード、１６２は第２の部品１６８ｂを構成するダイオード、１６４と１６５は電子部品１６０を電気回路に接続することができる接続端子、１６６は第１の部品と第２の部品の接続部である。
【０１０２】
図２に示したように、第１の部品１６８ａは、接続状態を同じにした３個のダイオード１６１ａ，１６１ｂ，１６１ｃが並列に接続されて構成されている。第２の部品１６８ｂは第１の部品を構成する各ダイオードとは逆の接続状態に配置されたダイオード１６２で構成されている。すなわち、接続端子１６４がプラス極（＋極）側に、接続端子１６５がマイナス極（−極）側になるように回路部品１６０を電気回路に接続した場合に、３個のダイオード１６１ａ，１６１ｂ，１６１ｃは順方向接続状態という同一の接続状態に並列に接続されていることになる。
【０１０３】
図３は、本発明による電子部品の主要部分としての回路要素の図１や図２と異なる例を説明する図である。符号１７０は本発明による電子部品、１７９は電子部品１７０の主要部分としての回路要素、１７８ａは回路要素１７９を構成する第１の部品、１７８ｂは回路要素１７９を構成する第２の部品、１７１ａ，１７１ｂは第１の部品１７８ａを構成するダイオード、１７２ａ，１７２ｂ，１７２ｃは第２の部品１７８ｂを構成するダイオード、１７４と１７５は電子部品１７０を電気回路に接続することができる接続端子、１７６は第１の部品と第２の部品の接続部である。
【０１０４】
図３に示したように、第１の部品１７８ａは接続状態を同じにした２個のダイオード１７１ａ，１７１ｂが並列に接続されて構成されている。第２の部品１７８ｂは第１の部品を構成する各ダイオードとは逆の接続状態に配置されている接続状態を同じにした３個のダイオード１７２ａ，１７２ｂ，１７２ｃが並列に接続されて構成されている。
【０１０５】
すなわち、接続端子１７４がプラス極（＋極）側に、接続端子１７５がマイナス極（−極）側になるように回路部品１７０を電気回路に接続した場合に、２個のダイオード１７１ａ，１７１ｂはｐｎ接合のｐ側がプラス電位にｎ側が−電位になる順方向接続状態の同一の接続状態に並列に接続されて第１の部品１７８ａを構成しており、３個のダイオード１７２ａ，１７２ｂ，１７２ｃはｐｎ接合のｎ側がプラス電位にｐ側が−電位になる逆方向接続状態という同一の接続状態に並列に接続されて第２の部品１７８ｂを構成していることになる。このように、第１の部品１７８ａと第２の部品１７８ｂは、それぞれ同一の接続状態すなわち順方向接続状態か逆方向接続状態のいずれか一方の接続状態に並列に接続された複数のダイオードで構成されているとともに、第１の部品１７８ａと第２の部品１７８ｂは一方が順方向接続状態に他方が逆方向接続状態に接続されて回路要素１７９を構成している。
【０１０６】
図２と図３に示した回路要素を有する本発明の電子部品をその接続端子を介して自動車の電気回路に接続し、自動車の電気回路の作動キーを入れ、自動車の発進特性、燃費、エンジン音の静かさなどの自動車の性能を調べたところ、電子部品を自動車の当該電気回路に接続しなかった場合に比べて、自動車の発進特性が明らかに良くなり、燃費がよくなり、エンジン音が静かになった。
【０１０７】
そして、図２と図３に示した回路要素を構成する各ダイオードとして、異なる特性を有するダイオードを用いることにより、本発明の電子部品を適用して効果をあげることができる自動車の範囲を広げることができた。
【０１０８】
本発明の電子部品は、自動車の電気回路に装着した場合に、電気回路における状態を適宜調整して、当該自動車の性能向上状況を最適に近づけることができた。
【０１０９】
その調整方法の例として、たとえば図１の回路要素に抵抗を直列に接続する方法、誘導を直列に接続する方法などがあげられる。
【０１１０】
以下にいくつかの実施例を用いて本発明をさらに詳しく説明する。
【実施例１】
【０１１１】
図４は本発明の実施の形態例としての電子部品の基本構成を説明する図である。
【０１１２】
図４で、符号２００は本発明の例としての電子部品、２０１は電子部品２００を構成する半導体のｐｎ接合を有する第１の部品としてのダイオード、２０２は電子部品２００を構成する半導体のｐｎ接合を有する第２の部品としてのダイオード、２０３は電子部品２００を構成する第３の部品、２０９は電子部品２００の主要部分としての回路要素、２０４と２０５は電子部品２００を自動車の電気回路に接続する時の端子（接続端子）、２０６は第１の部品と第２の部品の接続部、２０７は第２の部品と第３の部品の接続部である。
【０１１３】
ダイオード２０１と２０２は半導体のｐｎ接合を有しており、図４に示したように、電子部品２００が電気回路に接続された状態で一方が順方向接続になるように、他方が逆方向接続になるように、接続端子２０４と２０５の間に直列に接続されている。
【０１１４】
第３の部品はダイオード２０２と接続端子２０５の間に接続されている。第３の部品は、後述のように、種々の構成が可能である。
【０１１５】
図５は図４の電子部品を構成する第３の部品の最も簡単な例を説明する図で、第３の部品が端子２２６と２２７の間に導線２２８を配したもの、すなわち配線自体の場合である。図５で、符号２２０は第３の部品である。
【０１１６】
図６は図４の電子部品を構成する第３の部品の例を説明する図で、第３の部品が抵抗からなる例を説明する図であり、固定抵抗２３１と可変抵抗２３２で構成されている。符号２３０は第３の部品、２３４と２３５は端子である。
【０１１７】
図６のように第３の部品を抵抗で構成することにより、何らかの事情によりダイオード２０１と２０２がショート状態になったとしても、電子部品２００の接続端子２０４と２０５の間がショート状態にならないようにできるのみならず、次のような効果をもたらすことができる。
【０１１８】
すなわち、自動車の電気回路は、たとえば端子の目的によって、あるいは配線の位置によって、あるいは自動車のバッテリーの違いによって、あるいはその他の事情によって、本発明の電子部品が接続される電気回路の電気的条件が異なる場合がある。その場合、ダイオードの特性を最適に選択することが望ましい。しかし、ある程度共通性のある特性のダイオードを選定しておき、可変抵抗によって多種類の電気回路に最適な状態で用いることができるなど汎用性に優れた電子部品にすれば、電子部品のコストを下げたり、信頼性を高めたりすることができ、自動車のコストを安くすることができるなど、本発明の電子部品としての高い効果を発揮できるようにすることができる。
【０１１９】
電子部品２００を、たとえば自動車のシガレットライターと同様のケースに実装し、自動車のシガレットライター用のソケットに装着して自動車の性能を改善する場合、固定抵抗２３１を適切に選び、さらに可変抵抗２３２を当該自動車の性能変化を調べながら最適値と見なされる状態に設定することにより、当該自動車の性能を極めて良好な状態に改善することができる。
【０１２０】
また、第３の部品を抵抗で構成する場合、固定抵抗と可変抵抗の代わりに、図６の場合のような効果を発揮させるために、あらかじめ実験によって決めておいた図６の可変抵抗２３２に相当する抵抗値を固定抵抗２３１の抵抗値に含めた固定抵抗を用いることができる。この場合、汎用性は可変抵抗の場合よりも低くなるが、部品コストを安くできる上に、可変抵抗の変化による効果の変動や調整ミスなどによる好ましくない問題発生を防ぐことができる。
【０１２１】
図７は本発明の実施の形態例としての電子部品の基本構成を説明する図である。
【０１２２】
図７で、符号２１０は本発明の例としての電子部品、２１９は電子部品２１０の主要部分としての回路要素、２１４と２１５は電子部品２００を電気回路に接続する時の接続端子、２１６は第１の部品と第３の部品の接続部、２１７は第３の部品と第２の部品の接続部である。
【０１２３】
ダイオード２０１と２０２は図７に示したように、電子部品２１０が電気回路に接続された状態で一方が順方向接続に、他方が逆方向接続になるように、接続端子２１４と２１５の間に直列に接続されている。
【０１２４】
図４の例と異なることは、第３の部品２０３が第１の部品としてのダイオード２０１と第２の部品としてのダイオード２０２の間に接続されていることである。接続端子２０４と２０５の間にダイオード２０１および２０２と直列に接続されている第３の部品は、前述のように、種々の構成が可能である。
【０１２５】
図４の例と図７の例は電気回路としては同じものということができるが、第３の部品の配置の仕方が電子部品の小型化などに寄与する場合があり、本発明の一例として示したものである。
【０１２６】
図４の例と図７の例において、第１の部品と第２の部品を入れ替えても当然本発明が成り立つものであり、また、第３の部品２０３は図５と図６を用いて説明した導線あるいは抵抗素子に限定されるものでなく、種々の部品を使用することができるものである。
【実施例２】
【０１２７】
実施例１では、半導体のｐｎ接合を有する第１の部品と第２の部品としてダイオードを用いた例を説明した。
【０１２８】
本発明の実施例２として、図示しないが、トランジスタのｐｎ接合部を第１の部品と第２の部品に用いて、たとえば図４や図５のような本発明の電子部品を構成することができる。
【実施例３】
【０１２９】
図８は本発明の実施の形態例としての電子部品の基本構成を説明する図である。
【０１３０】
図８で、符号１８０は本発明による電子部品、１８９は電子部品１８０の主要部分としての回路要素、１８８ａは回路要素１８９を構成する第１の部品、１８８ｂは回路要素１８９を構成する第２の部品、１８１ａ，１８１ｂ，１８１ｃは第１の部品１８８ａを構成するダイオード、１８２ａ，１８２ｂは第２の部品１８８ｂを構成するダイオード、１８３は直列に接続されている第１の部品１８８ａと第２の部品１８８ｂに直列に接続された第３の部品としての抵抗、１８４と１８５は電子部品１８０を電気回路に接続することができる接続端子、１８６は第１の部品と第２の部品の接続部である。
【０１３１】
図８に示したように、第１の部品１８８ａは接続状態を同じにした３個のダイオード１８１ａ，１８１ｂ，１８１ｃが並列に接続されて構成されている。第２の部品１８８ｂは第１の部品を構成する各ダイオードとは逆の接続状態に配置されている接続状態を同じにした２個のダイオード１８２ａ，１８２ｂが並列に接続されて構成されている。
【０１３２】
すなわち、接続端子１８４が−極側に、接続端子１８５が＋極側になるように回路部品１８０を電気回路に接続した場合に、２個のダイオード１８２ａ，１８２ｂはｐｎ接合のｐ側がプラス電位にｎ側が−電位になる順方向接続状態という同一の接続状態に並列に接続されて第２の部品１８８ｂを構成しており、３個のダイオード１８１ａ，１８１ｂ，１８１ｃはｐｎ接合のｎ側がプラス電位にｐ側が−電位になる逆方向接続状態という同一の接続状態に並列に接続されて第１の部品１８８ａを構成していることになる。このように、第１の部品１８８ａと第２の部品１８８ｂは、それぞれ同一の接続状態すなわち順方向接続状態か逆方向接続状態のいずれか一方の接続状態に並列に接続された複数のダイオードで構成されているとともに、第１の部品１８８ａと第２の部品１８８ｂは一方が順方向接続状態に他方が逆方向接続状態に接続されて回路要素１８９を構成している。
【０１３３】
同じ接続状態で配列に接続されている第１の部品の各ダイオード１８１ａ，１８１ｂ，１８１ｃはそれぞれ異なる特性のダイオードになっており、第２の部品の各ダイオード１８２ａ，１８２ｂもそれぞれ異なる特性のダイオードになっている。
【０１３４】
第３の部品としての抵抗１８３の作用は、実施例１において説明した作用効果と同様である。
【０１３５】
このように構成された本発明の電子部品１８０は、前記のように自動車の電気回路に用いた場合、各構成部品を適宜選択することによって、自動車の性能を大きく改善することができるとともに、同一の電子部品を適用できる自動車の範囲を広くすることができる。
【実施例４】
【０１３６】
図９は本発明の実施の形態例としての電子部品の基本構成を説明する図である。
【０１３７】
図９で、符号１９０は本発明による電子部品、１９９は電子部品１９０の主要部分としての回路要素、１９１は回路要素１９９を構成する第１の部品としてのダイオード、１９２は回路要素１９９を構成する第２の部品としてのダイオード、１９３は直列に接続されている第１の部品としてのダイオード１９１と第２の部品としてのダイオード１９２に直列に接続された第３の部品としての抵抗、１９４は直列に接続されている第１の部品としてのダイオード１９１と第２の部品としてのダイオード１９２と第３の部品としての抵抗とに直列に接続された第４の部品としての誘導（コイル）、１９５と１９６は電子部品１９０を電気回路に接続することができる接続端子である。
【０１３８】
図９に示したように、第１の部品としてのダイオード１９１と第２の部品としてのダイオード１９２は一方が順方向接続状態に他方が逆方向接続状態に接続されて回路要素１９９を構成している。
【０１３９】
第３の部品としての抵抗１９３の作用は、前記実施例で説明した作用効果と同様である。
【０１４０】
図９からも明らかなように、本実施例の一つの特徴は、直列に接続されている第１〜第３の部品にさらに第４の部品としてのコイル１９４を直列に接続したことである。このように構成することによって、本発明の電子部品１９０を前記のように自動車の電気回路に用いた場合、各構成部品を適宜選択することによって、自動車の性能を大幅に改善することができるとともに、同一の電子部品を適用できる自動車の範囲を広くすることができる。
【実施例５】
【０１４１】
図１０は本発明の実施の形態例としての電子部品の基本構成を説明する図である。
【０１４２】
図１０で、符号３００は本発明による電子部品、３０９は電子部品３００の主要部分としての回路要素、３０１は回路要素３０９を構成する第１の部品としてのダイオード、３０２は回路要素３０９を構成する第２の部品としてのダイオード、３０３は直列に接続されている第１の部品としてのダイオード３０１と第２の部品としてのダイオード３０２に直列に接続された第３の部品としての抵抗、３０４は直列に接続されている第１の部品としてのダイオード３０１と第２の部品としてのダイオード３０２と第３の部品としての抵抗３０３とに直列に接続された第４の部品、３０４ａは第４の部品３０４を構成するコイル、３０４ｂは第４の部品３０４を構成するコンデンサ、３０５と３０６は電子部品３００を電気回路に接続することができる接続端子である。
【０１４３】
図１０に示したように、第１の部品としてのダイオード３０１と第２の部品としてのダイオード３０２は直列に接続されており、一方が順方向接続状態に他方が逆方向接続状態に接続されて回路要素３０９を構成している。
【０１４４】
第３の部品としての抵抗３０３の作用は、前記実施例で説明した作用効果と同様である。
【０１４５】
図１０からも明らかなように、本実施例の一つの特徴は、直列に接続されている第１〜第３の部品にさらに第４の部品を直列に接続し、第４の部品３０４を並列に接続したコイル３０４ａとコンデンサ３０４ｂで構成したことである。このように構成することによって、本発明の電子部品３００を前記のように自動車の電気回路に用いた場合、各構成部品を適宜選択することによって、自動車の性能を大きく改善することができる。
【実施例６】
【０１４６】
図１１は本発明の実施の形態例としての電子部品の基本構成を説明する図である。
【０１４７】
図１１で、符号３２０は本発明による電子部品、３２９は電子部品３２０の主要部分としての回路要素、３２１は回路要素３２９を構成する第１の部品としてのダイオード、３２２は回路要素３２９を構成する第２の部品としてのダイオード、３２３は直列に接続されている第１の部品としてのダイオード３２１と第２の部品としてのダイオード３２２に直列に接続された第３の部品としての抵抗、３２４は直列に接続されている第１の部品としてのダイオード３２１と第２の部品としてのダイオード３２２と第３の部品としての抵抗３２３とに直列に接続された第４の部品としてのコイル、３２５はコンデンサ、３２６と３２７は電子部品３２０を電気回路に接続することができる接続端子である。
【０１４８】
図１１に示したように、第１の部品としてのダイオード３２１と第２の部品としてのダイオード３２２は直列に接続されており、一方が順方向接続状態に他方が逆方向接続状態に接続されて回路要素３２９を構成している。ダイオードはバイポーラ技術を利用して作成されたダイオードを用いた。
【０１４９】
第３の部品としての抵抗３２３の作用は、前記実施例で説明した作用効果と同様である。
【０１５０】
図１１からも明らかなように、本実施例の一つの特徴は、第１〜第４の部品を直列に接続し、第４の部品であるコイル３２４とそれに直列に接続されている第２の部品のダイオード３２２とに並列にコンデンサ３２５を接続して回路要素３２９を構成したことである。そして,コンデンサ３２４は第1の部品であるダイオード３２１には並列接続ではなく直列接続になっている。
【０１５１】
図１１の電子部品３２０の接続端子３２６と３２７の間において、第1の部品であるダイオード３２１と第2の部品であるダイオード３２２のいずれにも、直流電流を通じることができる抵抗のような部品が並列に接続されていない。これは、本発明の電子部品３２０に不要な消費電流の増大を招かない利点がある。
【０１５２】
前記半導体のｐｎ接合の順方向接続状態と逆方向接続状態のうちの一方の接続状態にした第1の部品であるダイオード３２１と第2の部品であるダイオード３２２のうちの一方の部品としてのダイオードと、他方の接続状態にした第1の部品であるダイオード３２１と第2の部品であるダイオード３２２のうちの他方の部品としてのダイオードとを直列接続状態にした電子部品３２０は大きな効果を発揮することができる。
【０１５３】
コイル３２４とコンデンサ３２５の値は各種自動車に装着して特性を調べて、そのデータを基に決めることができる。種々の誘導値を有するコイルと種々の容量値を有するコンデンサを用いて電子部品３２０を構成し、それを自動車に装着して前記のような自動車の各種性能を調べ、コイル３２４とコンデンサ３２５の値を決めた。
【０１５４】
第３の部品である抵抗３２３は固定抵抗に可変抵抗を直列に接続した図６の場合と同様な構成にし、抵抗値は、本発明の電子部品３２０を取り付ける自動車に最適な条件になるように、たとえば自動車のエンジン音の変化を調べながら調整して決めることができた。
【０１５５】
ダイオードにはバイポーラ技術を利用して作成されたダイオードを用いた。
【０１５６】
このように構成することによって、本発明の電子部品３２０を前記のように自動車の電気回路に用いた場合、各構成部品を適宜選択することによって、自動車の性能を顕著に改善することができた。
【実施例７】
【０１５７】
図１２は本発明の実施の形態例としての電子部品の基本構成を説明する図である。
【０１５８】
図１２で、符号３３０は本発明による電子部品、３３９ａ，３３９ｂ，３３９ｃは電子部品３３０の主要部分としての回路要素、３３１ａは回路要素３３９ａを構成する第１の部品としてのダイオード、３３２ａは回路要素３３９ａを構成する第２の部品としてのダイオード、３３３ａは直列に接続されている第１の部品としてのダイオード３３１ａと第２の部品としてのダイオード３３２ａに直列に接続された第３の部品としての抵抗、３３１ｂは回路要素３３９ｂを構成する第１の部品としてのダイオード、３３２ｂは回路要素３３９ｂを構成する第２の部品としてのダイオード、３３３ｂは直列に接続されている第１の部品としてのダイオード３３１ｂと第２の部品としてのダイオード３３２ｂに直列に接続された第３の部品としての抵抗、３３１ｃは回路要素３３９ｃを構成する第１の部品としてのダイオード、３３２ｃは回路要素３３９ｃを構成する第２の部品としてのダイオード、３３３ｃは直列に接続されている第１の部品としてのダイオード３３１ｃと第２の部品としてのダイオード３３２ｃに直列に接続された第３の部品としての抵抗、３４０は第５の部品、３３６と３３７は電子部品３２０を電気回路に接続することができる接続端子である。
【０１５９】
図１２に示したように、電子部品３３０は並列に接続された３つの回路要素３３９ａ，３３９ｂ，３３９ｃを有しており、各回路要素を構成する第１の部品としてのダイオードと第２の部品としてのダイオードは直列に接続されており、一方が順方向接続状態に他方が逆方向接続状態に接続されている。
【０１６０】
第５の部品は、並列に接続されている３つの回路要素３３９ａ，３３９ｂ，３３９ｃに共通に直列に接続されており、抵抗で構成することができるが、これに限らず、抵抗とコイルあるいは抵抗とコイルとコンデンサを有するように構成することができる。第５の部品は本発明の電子部品の汎用性を高めて、自動車の性能改善を行うために用いることができる。
【０１６１】
このように構成することによって、本発明の電子部品３３０は多くの自動車に使用することができる電子部品として自動車の性能改善に寄与することができる。
【実施例８】
【０１６２】
図１３は本発明の実施の形態例としての電子部品の基本構成を説明する図である。
【０１６３】
図１３で、符号３５０は本発明による電子部品、３５９ａ，３５９ｂ，３５９ｃは電子部品３５０の主要部分としての回路要素、３５１ａは回路要素３５９ａを構成する第１の部品としてのダイオード、３５２ａは回路要素３５９ａを構成する第２の部品としてのダイオード、３５３ａは直列に接続されている第１の部品としてのダイオード３５１ａと第２の部品としてのダイオード３５２ａに直列に接続された第３の部品としての抵抗、３５４ａは直列に接続されている第１の部品としてのダイオード３５１ａと第２の部品としてのダイオード３５２ａと第３の部品としての抵抗３５３ａとに直列に接続された第４の部品としてのコイル、３５５ａはコイル３５４ａと第２の部品としてのダイオード３５２ａに並列に接続されているコンデンサ、３５１ｂは回路要素３５９ｂを構成する第１の部品としてのダイオード、３５２ｂは回路要素３５９ｂを構成する第２の部品としてのダイオード、３５３ｂは直列に接続されている第１の部品としてのダイオード３５１ｂと第２の部品としてのダイオード３５２ｂに直列に接続され回路要素３５９ｂを構成している第３の部品としての抵抗、３５１ｃは回路要素３５９ｃを構成する第１の部品としてのダイオード、３５２ｃは回路要素３５９ｃを構成する第２の部品としてのダイオード、３５３ｃは直列に接続されている第１の部品としてのダイオード３５１ｃと第２の部品としてのダイオード３５２ｃに直列に接続されて回路要素３５９ｃを構成している第３の部品としての抵抗、３５４ｃは直列に接続されている第１の部品としてのダイオード３５１ｃと第２の部品としてのダイオード３５２ｃと第３の部品としての抵抗３５３ｃとに直列に接続されて回路要素３５９ｃを構成している第４の部品としてのコイル、３６０は第５の部品、３５６と３５７は電子部品３５０を電気回路に接続することができる接続端子である。
【０１６４】
図１３に示したように、電子部品３５０は並列に接続された３つの回路要素３５９ａ，３５９ｂ，３５９ｃを有しており、各回路要素を構成する第１の部品としてのダイオードと第２の部品としてのダイオードは直列に接続されており、一方が順方向接続状態に他方が逆方向接続状態に接続されている。
【０１６５】
各回路要素は前記各例で部分的に説明したので重複を避けることにする。
【０１６６】
第５の部品は、抵抗で構成することができるが、これに限らず、抵抗とコイルあるいは抵抗とコイルとコンデンサを有するように構成することができる。第５の部品は電子部品の汎用性を高めて、自動車の性能改善を行うために用いることができる。
【０１６７】
このように構成することによって、本発明の電子部品３５０は多くの自動車に使用することができる電子部品として自動車の性能改善に寄与することができる。
【実施例９】
【０１６８】
本発明の電子部品は、自動車の電気回路に用いる用い方によって種々の形態をとり得るものである。
【０１６９】
図１４と図１５は本発明の電子部品の実施の形態例を説明する図で、図１４は自動車のシガレットライターと同様のケースに実装した状態の本発明の電子部品の例を説明する斜視図、図１５は図１４の電子部品の回路図である。
【０１７０】
図１４で、符号２６０は本発明の電子部品、２６１と２６２は本発明の電子部品２６０を自動車の電気回路に接続することができる接続端子、２６３は本発明の電子部品が自動車の電気回路に接続されているか否かを表示することができる発光ダイオード、２６４はプラスチック製のケース、２６５は電子部品２６０を自動車のシガレットライター用の接続端子に挿入するときの挿入方向を示す矢印、２６６は抵抗、２６７はケース２６４の突起部である。
【０１７１】
接続端子２６１と突起部２６７はバネ性を有しており、突起部２６７は、図示の部分と反対側にも設けられている。突起部２６７は、電子部品２６０が自動車のシガレットライター用の接続端子に挿入されたときに接続端子２６１がケース２６４の挿入部の表面から突出していることにより自動車のシガレットライター用の接続端子から受ける力と同様の力を自動車のシガレットライター用の接続端子から受けるようにそのバネ力が設計されている。
【０１７２】
図１４の電子部品２６０は、接続端子２６１と２６２の間に少なくとも図１５に示した各部品が接続されている。図１５において、半導体のｐｎ接合を有する第１の部品２０１と第２の部品２０２が、当該電子部品２６０を自動車の電気回路に接続したときに、一方が順方向接続に、他方が逆方向接続になるように直列に接続されており、第３の部品が第１の部品２０１および第２の部品２０２と直列に接続されている。この構成は、本発明の実施例１で図４〜図６を用いて説明した構成と同様である。図１４の電子部品２６０は、接続端子２６１と２６２の間に、前記第１〜第３の部品の他に、図１５に示したように、直列に接続された第１〜第３の部品と並列になるように接続された少なくとも１つの発光ダイオード２６３及びそれに直列に接続された抵抗２６６を有している。
【０１７３】
このような構成にしたことによって、自動車の運転手が、電子部品２６０が自動車の電気回路に接続されているか否かを容易に知ることができる。
【実施例１０】
【０１７４】
さらに、図１４の電子部品２６０は、実施例９の他の形態として、接続端子２６１と２６２の間に、直列に接続された第１〜第３の部品と並列に、シガレットライターの回路や香をたくなどの香り発生回路を接続して構成した電子部品にすることもできる。
【０１７５】
また、図１４の電子部品２６０は、実施例３の他の形態として、接続端子２６１と２６２とは別に、シガレットライター、香り発生部品、照明装置、マイナスイオン発生装置など、自動車の電源を利用する他の部品を接続することができる端子やソケットを有するように構成することができる。このようにすることにより、本発明の電子部品をより広い範囲の自動車に装着することができる。
【０１７６】
図１６は本発明の電子部品の実施の形態例を説明する図で、符号２７０は本発明の電子部品、２７７は電子部品の本体部、２７８は電子部品の差し込み部、２７９は本体部のケース、２８０は差し込み部のケース、２８１は本体部２７７と差し込み部２７８を電気的に接続している配線、２７５と２７６は本発明の電子部品２７０を自動車の電気回路に接続することができる接続端子、２７１はたとえば図１１に示した構成の各部品を組み込んだ本発明の電子部品の主要部分、２７２〜２７４はそこにシガレットライター、香り発生部品、照明装置、マイナスイオン発生装置など、自動車の電源を利用する他の部品を接続することができるソケットである。
【０１７７】
主要部分２７１の内部には図１１に示したのと同様な各部品が図１１と同様に接続されており、本発明の電子部品の基本的能力を発揮できるようになっている。
【０１７８】
さらに、図１６の電子部品２７０は、ソケット２７２〜２７４に必要に応じてシガレットライター、香り発生部品、照明装置、マイナスイオン発生器などを挿入してそれぞれを機能させることができ、本発明の電子部品を自動車に用いることによる従来備わっていた機能を損なうことがないばかりか、さらに新規の機能を追加するなど利便性を高めることができるという効果がある。
【０１７９】
以上、実施例１〜１０を参照して本発明の電子部品の実施の形態例を説明したが、本発明は前記実施例に狭く限定されるものではなく、前記本発明の技術思想を利用した多くのバリエーションを可能とするものである。
【０１８０】
たとえば、前記の如き回路要素を有する本発明の電子部品を、図２１の自動車の電気回路の電位差を有する適切な位置、たとえば、本発明の電子部品の自動車の電気回路に接続する例を説明する図である図１７に示すように、電気回路中の電位差を有する２本の配線２５０と２５１の間に、接続点２５２と２５３で半田付けすることなどにより、自動車の電気回路に組み込んで実施することができ、このようにすることにより、自動車の性能を改善することができる。そして、自動車の電気回路の複数箇所に本発明の電子部品を組み込んで、自動車の性能を著しく改善することができる。
【０１８１】
また、自動車の電気回路用の半導体集積回路の適切な位置に、本発明の電子部品を構成して、前記半導体集積回路を自動車の電気回路に用いて自動車の性能を改善することができる。
【０１８２】
このように、本発明は、自動車の性能を大幅に改善することができる電子部品を安価に提供することができるものであるとともに、それを用いた優れた性能を有する自動車を安価に提供することができるものであることは、以上の説明から容易に理解できるものである。
【産業上の利用可能性】
【０１８３】
以上の説明からもわかるように、本発明の利用範囲は自動車産業からそのユーザにおけるまで、広い範囲にわたるものである。
【０１８４】
本発明は、従来の方法で量産された自動車の性能を大幅に向上させることを可能にするものであるとともに、性能の優れた自動車を安価に実現することを可能にするものであり、高性能な自動車を安価に得ることを可能とし、自動車を購入して使用するためのコストの大幅な削減、自動車使用による大気汚染の大幅な低減をもたらすことができるなど、その経済的、社会的効果は極めて大きなものであり、自動車産業の発展ならびに自動車を利用する産業の発展に大きく寄与するものであるとともに、自動車による環境汚染を改善する効果をもたらすものである。
【図面の簡単な説明】
【０１８５】
【図１】本発明の電子部品の回路要素の例を説明する図である。
【図２】本発明の電子部品の回路要素の例を説明する図である。
【図３】本発明の電子部品の回路要素の例を説明する図である。
【図４】本発明の実施の形態例としての電子部品の基本構成を説明する図である。
【図５】図４の電子部品を構成する第３の部品の例を説明する図である。
【図６】図４の電子部品を構成する第３の部品の例を説明する図である。
【図７】本発明の実施の形態例としての電子部品の基本構成を説明する図である。
【図８】本発明の実施の形態例としての電子部品の基本構成を説明する図である。
【図９】本発明の実施の形態例としての電子部品の基本構成を説明する図である。
【図１０】本発明の実施の形態例としての電子部品の基本構成を説明する図である。
【図１１】本発明の実施の形態例としての電子部品の基本構成を説明する図である。
【図１２】本発明の実施の形態例としての電子部品の基本構成を説明する図である。
【図１３】本発明の実施の形態例としての電子部品の基本構成を説明する図である。
【図１４】本発明の電子部品の実施の形態例として、シガレットライターと同様のケースに実装した状態の本発明の電子部品の例を説明する斜視図である。
【図１５】図１４の電子部品の回路図である。
【図１６】本発明の電子部品の実施の形態例を説明するである。
【図１７】本発明の電子部品の自動車の電気回路に接続した状態の例を説明する図である。
【図１８】乗用車に使用されている代表的なヒュ−ズホルダーにおけるヒューズの装着方法を説明する図である。
【図１９】乗用車に使用されている代表的なヒュ−ズホルダーにおけるヒューズの装着方法を説明する図で
【図２０】図１９を用いて説明したタイプのヒューズホルダーに装着されて使用されたヒューズの接続端子の状況を説明する図である。
【図２１】本発明のヒューズを用いた装置の例としての乗用車の電気系統を説明する図である。
【符号の説明】
【０１８６】
３：電池
４ａ〜４ｇ：ヒューズ
５ｂ〜５ｇ：スイッチ
６：自動車エンジンのスタータ系回路部分
７：燃料制御系回路部分
８：コンピュータ
９：イグニッション系回路部分
１０：エアコンコンディショナー系回路部分
１１：音響装置
１２ａ〜１２ｄ，１３ａ〜１３ｄ，１４ａ〜１４ｄ，１５ａ〜１５ｄ，１６ａ〜１６ｄ，１７ａ〜１７ｄ，１８〜２５：配線
１０１，１０２，１２１，１２２：ヒューズの接続端子
１１０，１１１，１３０〜１３３：ヒューズホルダーの電極
１２１ｃ，１２２ｃ：ヒューズの接続端子表面
１５０，１６０，１７０，１８０，１９０，２００，２１０，２６０，２７０，３００，３２０，３３０，３５０：電子部品
１５１，１５２，１６１ａ，１６１ｂ，１６１ｃ，１６２，１７１ａ，１７１ｂ，１７２ａ，１７２ｂ，１７２ｃ，１８１ａ，１８１ｂ，１８１ｃ、１８２ａ，１８２ｂ，１９１、１９２、２０１，２０２，３０１，３０２，３２１，３２２，３３１ａ，３３１ｂ，３３１ｃ，３３２ａ，３３２ｂ，３３２ｃ，３５１ａ，３５１ｂ，３５１ｃ，３５２ａ，３５２ｂ，３５２ｃ：ダイオード
１５９，１６９，１７９，１８９，１９９，２０９，２１９，３０９，３２９，３３９ａ，３３９ｂ，３３９ｃ，３５９ａ，３５９ｂ，３５９ｃ：回路要素
１５４，１５５，１６４，１６５，１７４，１７５，１８４，１８５，１９５，１９６，２０４，２０５，２１４，２１５，２６１，２６２，２７５，２７６，３０５，３０６，３２６，３２７，３３６，３３７，３５６，３５７：接続端子
１６８ａ，１７８ａ，１８８ａ：第１の部品
１６８ｂ，１７８ｂ，１８８ｂ：第２の部品
１８３，１９３，３０３，３２３，３３３ａ，３３３ｂ，３３３ｃ，３５３ａ，３５３ｂ，３５３ｃ：第３の部品としての抵抗
１９４，３０４ａ，３２４，３５４ａ，３５４ｃ：第４の部品としての誘導（コイル）
２０３，２２０，２３０：第３の部品
２２８：導線
２３１：固定抵抗  
２３２：可変抵抗
２５０，２５１：自動車の電気回路中の配線
２５２，２５３：接続点
２６３：発光ダイオード
２６４，２７９，２８０：ケース
２６５：矢印
２６６：抵抗
２６７：突起部
２７１：本発明の電子部品の主要部分
２７２〜２７４：ソケット
２７７：本発明の電子部品の本体部
２７８：本発明の電子部品の差し込み部
２８１：本体部と差し込み部を電気的に接続している配線
３０４：第４の部品
３０４ｂ：第４の部品を構成するコンデンサ
３２５，３５５ａ：コンデンサ
３４０，３６０：第５の部品
【図１】
2005239030.tif 000003
【図２】
2005239030.tif 000004
【図３】
2005239030.tif 000005
【図４】
2005239030.tif 000006
【図５】
2005239030.tif 000007
【図６】
2005239030.tif 000008
【図７】
2005239030.tif 000009
【図８】
2005239030.tif 000010
【図９】
2005239030.tif 000011
【図１０】
2005239030.tif 000012
【図１１】
2005239030.tif 000013
【図１２】
2005239030.tif 000014
【図１３】
2005239030.tif 000015
【図１４】
2005239030.tif 000016
【図１５】
2005239030.tif 000017
【図１６】
2005239030.tif 000018
【図１７】
2005239030.tif 000019
【図１８】
2005239030.tif 000020
【図１９】
2005239030.tif 000021
【図２０】
2005239030.tif 000022
【図２１】
2005239030.tif 000023